【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
第１の無線通信手段と、
原稿から画像を読み取るスキャナー部と、
モバイル端末を示す第１の部材と、
前記第１の部材の位置に配置された第１の発光素子と、
モバイル端末からのリモート指示を要求する所定のイベントの発生に応じて前記第１の発光素子を発光させる制御手段と、
前記所定のイベントに対応する所定の通知を前記モバイル端末に表示させるための情報を、前記第１の無線通信手段を介して前記モバイル端末に送信する送信手段と、
前記モバイル端末から前記リモート指示を受信する受信手段と、を有し、
前記所定のイベントは、前記スキャナー部を用いた機能の設定イベントであり、
前記リモート指示は設定指示であることを特徴とする画像処理装置。
【請求項２】
前記制御手段は、前記所定のイベントの発生に応じて前記第１の発光素子を点滅させることを特徴とする請求項１記載の画像処理装置。
【請求項３】
前記第１の部材は、タッチ操作を受けるボタンであることを特徴とする請求項１又は２記載の画像処理装置。
【請求項４】
前記機能は、コピー機能であることを特徴とする請求項１〜３の何れか１項記載の画像処理装置。
【請求項５】
前記機能は、スキャン機能であることを特徴とする請求項１〜４の何れか１項記載の画像処理装置。
【請求項６】
所定のジョブタイプに関連付けられた第２の部材と、
前記第２の部材の位置に配置された第２の発光素子と、をさらに有し、
前記所定のイベントとは異なるイベントが発生し、前記ジョブタイプに関連付けられた場合に、前記制御手段は、前記第２の発光素子を発光させることを特徴とする請求項１〜５の何れか１項記載の画像処理装置。
【請求項７】
前記画像処理装置の状態に関連する第３の部材と、
前記第３の部材の位置に配置された第３の発光素子と、をさらに有し、
前記画像処理装置の状態に関連するイベントが発生した場合に、前記制御手段は、前記第３の発光素子を発光させることを特徴とする請求項１〜６の何れか１項記載の画像処理装置。
【請求項８】
近接して装置と通信する第２の無線通信手段をさらに有し、
前記第２の無線通信手段は、前記モバイル端末が前記画像処理装置に近接することに応じて、前記第１の無線通信手段を介して前記モバイル端末との通信を確立するためのネットワーク情報を前記モバイル端末に送信することを特徴とする請求項１〜７の何れか１項記載の画像処理装置。
【請求項９】
前記ネットワーク情報は、１つまたは複数のＳＳＩＤ（Ｓｅｒｖｉｃｅ  Ｓｅｔ  Ｉｄｅｎｔｉｆｉｅｒ）、または、ＩＰ（Ｉｎｔｅｒｎｅｔ  Ｐｒｏｔｏｃｏｌ）アドレスを含むことを特徴とする請求項８記載の画像処理装置。
【請求項１０】
前記制御手段は、前記第２の無線通信手段を介して前記モバイル端末から取得された識別情報に基づいて認証処理を実行することを特徴とする請求項８又は９記載の画像処理装置。
【請求項１１】
前記第２の無線通信手段は、ＮＦＣ（Ｎｅａｒ  Ｆｉｅｌｄ  Ｃｏｍｍｕｎｉｃａｔｉｏｎ）による通信を行うことを特徴とする請求項８〜１０の何れか１項記載の画像処理装置。
【請求項１２】
前記第２の無線通信手段に関連する第４の発光素子をさらに有し、
前記所定のイベントが発生し、前記第１の無線通信手段を介して前記モバイル端末との間の通信が確立されていない場合に、前記制御手段は、前記第４の発光素子に発光させることを特徴とする請求項８〜１１の何れか１項記載の画像処理装置。
【請求項１３】
前記第１の無線通信手段は、無線ＬＡＮ通信を行うインターフェースであることを特徴とする請求項１〜１２の何れか１項記載の画像処理装置。
【請求項１４】
前記第１の無線通信手段は、前記画像処理装置と前記モバイル端末とのＷｉ−Ｆｉダイレクトによる通信を行うことを特徴とする請求項１〜１２の何れか１項記載の画像処理装置。
【請求項１５】
シート状に画像を形成する画像形成手段をさらに有し、
前記第１の部材が押された場合に、前記制御手段は、前記画像形成手段に所定の画像をシートに形成させ、
前記所定の画像は、二次元コードを含む画像であることを特徴とする請求項１〜１４の何れか１項記載の画像処理装置。
【請求項１６】
前記第１の部材は、前記モバイル端末に関連する単語がラベル付けされたボタンであることを特徴とする請求項１〜１５の何れか１項記載の画像処理装置。
【請求項１７】
前記画像処理装置は、ディスプレイのない装置であることを特徴とする請求項１〜１６の何れか１項記載の画像処理装置。
【請求項１８】
前記設定イベントは、宛先設定、原稿サイズ設定、両面設定、カラー設定、画質設定、または、プレビュー設定のうちの少なくともいずれかを含むことを特徴とする請求項１〜１７の何れか１項記載の画像処理装置。
【請求項１９】
画像処理装置とモバイル端末とを含む画像処理システムであって、
前記画像処理装置は、
第１の無線通信手段と、
原稿から画像を読み取るスキャナー部と、
モバイル端末を示す部材であって、ユーザによって前記第１の無線通信手段を介して前記モバイル端末との間の通信を確立させるための部材と、
前記部材の位置に配置された発光素子と、
前記モバイル端末からのリモート指示を要求する所定のイベントの発生に応じて前記発光素子を発光させる制御手段と、
前記所定のイベントに対応する所定の通知を前記モバイル端末に表示させるための情報を、前記第１の無線通信手段を介して前記モバイル端末に送信する第１の送信手段と、
前記モバイル端末から前記リモート指示を受信する受信手段と、を有し、
前記モバイル端末は、
第２の無線通信手段と、
情報を表示するためのディスプレイと、
前記画像処理装置から送信されたデータに基づく所定の通知を含む設定画面を前記ディスプレイに表示する表示制御手段と、
前記設定画面でのユーザ操作に応じて前記リモート指示を送信する第２の送信手段と、を有し、
前記所定のイベントは、前記スキャナー部を用いた機能の設定イベントであり、
前記リモート指示は設定指示であることを特徴とする画像処理システム。
【請求項２０】
無線通信手段と、原稿から画像を読み取るスキャナー部と、モバイル端末を示す部材と、前記部材の位置に配置された発光素子と、を有する画像処理装置を制御するためのプログラムが記憶された、コンピュータ読み取り可能な記憶媒体であって、
前記プログラムは、
前記モバイル端末からのリモート指示を要求する所定のイベントの発生に応じて前記発光素子を発光させる制御工程と、
前記所定のイベントに対応する所定の通知を前記モバイル端末に表示させるための情報を、前記無線通信手段を介して前記モバイル端末に送信する送信工程と、
前記モバイル端末から前記リモート指示を受信する受信工程と、をコンピュータに実行させ、
前記所定のイベントは、前記スキャナー部を用いた機能の設定イベントであり、
前記リモート指示は設定指示であることを特徴とするコンピュータ読み取り可能な記憶媒体。
【手続補正２】
【補正対象書類名】明細書
【補正対象項目名】発明の名称
【補正方法】変更
【補正の内容】
【発明の名称】画像処理装置、画像処理システム及び記憶媒体
【手続補正３】
【補正対象書類名】明細書
【補正対象項目名】０００１
【補正方法】変更
【補正の内容】
【０００１】
本発明は、画像処理装置、画像処理システム及び記憶媒体に関する。
【手続補正４】
【補正対象書類名】明細書
【補正対象項目名】０００５
【補正方法】変更
【補正の内容】
【０００５】
本発明に係る画像処理装置は、第１の無線通信手段と、原稿から画像を読み取るスキャナー部と、モバイル端末を示す第１の部材と、前記第１の部材の位置に配置された第１の発光素子と、モバイル端末からのリモート指示を要求する所定のイベントの発生に応じて前記第１の発光素子を発光させる制御手段と、前記所定のイベントに対応する所定の通知を前記モバイル端末に表示させるための情報を、前記第１の無線通信手段を介して前記モバイル端末に送信する送信手段と、前記モバイル端末から前記リモート指示を受信する受信手段と、を有し、前記所定のイベントは、前記スキャナー部を用いた機能の設定イベントであり、前記リモート指示は設定指示であることを特徴とする。